(57)【要約】      （修正有）【課題】すべての素材を竹材で構成した竹馬を提供する。【解決手段】竿竹２の最下部の節の上部近傍に支え竹４を留める第一の孔５と竿竹２の中間部に足乗せ竹３を留める第二の孔６を備えた竿竹２と、竿竹２の軸方向に挿入される径方向の第三の孔７を有し下周面に支え竹４が斜めに入る第四の孔８を備えた足乗せ竹３と、第四の孔８に挿入され一端部が足乗せ竹３の内周面と当接し、他端部が竿竹２の下部に設けられた縦長形状の第五の孔９に挿入され最下部の節の内面と当接する支え竹４と、を有し、第一、第二の孔５、６に目釘竹１２、１３を差込み、それぞれ固定する。【選択図】図１
0003196832.tif 000002
【実用新案登録請求の範囲】
【請求項１】
竿竹の最下部の節の上部近傍に支え竹を留める第一の孔と竿竹の中間部に足乗せ竹を留める第二の孔を備えた竿竹と、
竿竹の軸方向に挿入される径方向の第三の孔を有し下周面に支え竹が斜めに入る第四の孔を備えた足乗せ竹と、
第四の孔に挿入され一端部が足乗せ竹の内周面と当接し、他端部が竿竹の下部に設けられた縦長形状の第五の孔に挿入され最下部の節の内面と当接する支え竹と、有し
第一、第二の孔に目釘竹を差込み、それぞれ固定したことを特徴とする竹馬
【請求項２】
請求項１記載の竹馬において、竿竹を径方向に貫通する第六の孔と足乗せ竹の節を貫通する第七の孔を設け、第六の孔と第七の孔を貫通し目釘竹を差込み固定し足乗せ竹の内周面と接して固定することを特徴とする竹馬
【考案の詳細な説明】
【技術分野】
【０００１】本考案は竹材だけを使った竹馬であり誰でも簡単に乗れる竹馬の改良に関するものである。
【背景技術】
【０００２】最近は竹材だけをつかった竹馬を見なくなった。自然の竹を利用する人も少なくなったが、我々の子供の頃は遊具が少なく竹を竹林から切り出しては、竹馬を手作りしていた。子供の頃の竹馬は竹と金釘・縄・木で作っていたものなので、竹材だけで竹馬を手作りしようと考案したものである。【０００３】従来の踏板取付装置として、本出願人の実用新案登録に係る実公昭５２−６３７３号公報に記載されたものがあった。これは、直状の内筒と截頭円錐形の外筒とを放射状のリブで一体に連結し、内外筒に上下端面に達する軸線方向のスリットを設けてなる駒片をその内筒において竹馬の竿部に嵌挿し、その外筒の外面に踏板を截頭円錐形の嵌合孔において嵌着支持させてなるものである。ここで適用される踏板は、上面を平坦とし基部に筒状部を形成してこれに駒片の外筒に適合する截頭円錐形の嵌合孔を設け、駒片の内筒には平行する複数条のスリットを設け外筒には１条のスリットを設けている。【０００４】そして、竿部に対し内外筒からなる駒片を適当な高さ位置に嵌着した後、その外筒に踏板を截頭円錐形の嵌合孔で外接嵌合すれば、外筒と嵌合孔とのテーパー形状の凹凸の嵌め込みにより、駒片に対し踏板は確実に係合し、且つ駒片は踏板の嵌合により周囲から挾搾され、これがリブを介して内筒を挾搾する作用となって竿部に対し駒片を強力に結着するから、踏板は該駒片を介して竿部に堅牢に結着支持され、且つその分解も極めて安易に行われるもので、踏板の取付高さの調節も簡便である。
【先行技術文献】
【特許文献】
【特許文献】実公昭５２−６３７３号公報
【０００５】竹馬の竿部は一般に、金属パイプで竿部本体を構成し、該竿部本体の外面を合成樹脂製フィルムで被覆し、竿部本体の上端部、下端部に熱収縮性の上キャップ、下キャップをそれぞれ装着して構成される。竿部に対し駒片を適当な高さ位置に嵌着し、その外筒に踏板を截頭円錐形の嵌合孔で外接嵌合すると、駒片は外筒に設けた１条のスリットが当設するように内筒の径を狭めるが、内筒の孔内はどうしても完全な円筒状の空間とならず、竿部の表面に対する密着状態が不完全になってしまう。そのため、竿部に対し駒片が滑ることがあり、踏板がずれて踏板の取付高さが固定できないという問題があった。
【考案が解決しようとする課題】
【０００６】本考案は上記問題点を改善し、すべての竹材で構成した竹馬である。
【課題を解決するための手段】
【０００７】本考案の竹馬は竿竹と足乗せ竹に支え竹を使用し目釘穴を設け目釘竹を差込み固定した。なお、竿竹と足乗せ竹と支え竹と目釘竹は、強度を高めるため、事前に水分や油分を除去した竹材を使用したものと、青竹のままの竹材を使用する両方の作り方をする。
【考案の効果】
【０００８】本考案の効果は、竹馬の素材は真竹だけを使用し竿竹と足乗せ竹馬と支え竹に目釘孔を設け目釘竹を差込み固定する。目釘竹は衝撃を吸収する性質を持ち形として竿竹・足乗せ竹・支え竹はトラス構造となり、荷重強度を高める。
【図面の簡単な説明】
【０００９】
【図１】本考案の竹馬の一実施例を示す正面図である。
【図２】本竹馬の正面の断面図である。
【図３】本竹馬の左側面図である。
【図４】本竹馬の左側面の断面図である。
【図５】本竹馬の右側面図である。
【図６】本竹馬の平面図である。
【図７】本竹馬の底面図である。
【図８】本竹馬の正面図足乗せ竹部分の拡大図である。
【図９】本竹馬の正面図の竿竹の最下部の支え竹を留める部分の拡大図である。
【図１０】本竹馬の左側面の足乗せ竹部分の断面図の拡大図である。
【図１１】本竹馬の左側面の竿竹の最下部の支え竹を留める部分の拡大図
【考案を実施するための形態】
【００１０】以下、本考案の実施の形態を図１ないし図１１を参照して詳細に説明する。
【００１１】図１の１は竹馬本体である。筒状の竿竹２の最下部の節１５の上部近傍に筒状の支え竹４を留める第一の孔５と竿竹２の中間部に筒状の足乗せ竹３を留める第二の孔６を備えた竿竹２と、竿竹２の軸方向に挿入される径方向の第三の孔７を有し下周面に支え竹４が斜めに入る第四の孔８を備えた足乗せ竹３と、第四の孔８に挿入され一端部が足乗せ竹３の内周面と当接し、他端部が竿竹２の下部に設けられた縦長形状の第五の孔９に挿入され最下部の節１５の内面と竿竹２の内周面と当接する支え竹４と、第一、第二の孔に目釘竹を差込み、それぞれ固定したことを特徴とする竹馬である。Ａは足乗せ竹３からの高さで使用者の身長１．２ｍ〜１．８ｍ程度の高さとする。Ｂは足乗せ竹３の直径でφ７０ｍｍ程度とする。Ｃは足乗せ竹３までの高さで使用者の好みに合わせるが大体２５ｍｍ〜７０ｍｍ程度とする。Ｄは竿竹２の直径でφ３５ｍｍ〜４５ｍｍ程度とする。Ｅは足乗せ竹３の長さで２５０ｍｍ〜３００ｍｍ程度とする。Ｆは支え竹４で足乗せ竹３までの高さに比例する長さになり直径φ２０ｍｍ程度とする。竿竹２と足乗せ竹３と支え竹４の形はトラス構造となり、固定すると荷重強度は高まる。
【００１２】図２は図１の正面図のａ−ａ´断面図である。本考案の支え竹４が竿竹２の最下部の第五の孔９に挿入されている状況と足乗せ竹３の第四の孔８に支え竹４が挿入されている状況である。また、本考案の竿竹２を貫通する第六の孔１０と足乗せ竹３の節１６を貫通する第七の孔１１に目釘竹１４を差込み固定する。固定する形としては、竿竹２に対して足乗せ竹３は直角、もしくは足乗せ竹３の内周面と接している支え竹４の箇所を０〜５０ｍｍほど高くする。
【００１３】図３は本竹馬の左側面図である。竿竹２の中間部に足乗せ竹３を留めた図であり、足乗せ竹３の節１６に目釘竹１４が差込まれ固定されている。
【００１４】図４は図３の左側面図のｂ−ｂ´断面図である。本考案の竿竹２の最下部の節１５の上部近傍に支え竹１２を留める第一の孔５に目釘竹１２を差込み固定されている。竿竹２の中間部に足乗せ竹３を留める第二の孔６に目釘竹１３を差込んで竿竹２と足乗せ竹３を固定している。
【００１５】図５は本竹馬の右側面図である。竿竹２の中間部に足乗せ竹３が固定され、竿竹２と足乗せ竹３に挿入された支え竹４がある。
【００１６】図６は本竹馬の平面図である。竿竹２に第三の孔７を有する足乗せ竹３が挿入されている。
【００１７】図７は本竹馬の底面図である。竿竹２に挿入されている足乗せ竹３と竿竹２に支え竹４が挿入されている。
【００１８】図８は図２のα部分の拡大図である。竿竹２に足乗せ竹３が第三の孔６に目釘竹１３が差込まれ、また竿竹２を径方向に貫通する第六の孔１０と足乗せ竹３の節１６を貫通する第七の孔１１を設け、貫通する第六の孔１０と第七の孔１１を目釘竹１４で差込み足乗せ竹３の内周面と接して固定する。また足乗せ竹３の第四の孔８に挿入され一端部が足乗せ竹３の内周面と当接している支え竹４である。第三の孔７の近傍に節１６が有ると強度があるので節１６と、できれば節１６ａを持つ足乗せ竹３を使う。目釘竹１４の長さは１００ｍｍ程度で、直径はφ９ｍｍとする。
【００１９】図９は図２のβ部分の拡大図である。竿竹２の下部に設けられた縦長形状の第五の孔９に挿入した支え竹４を第一の孔５に目釘竹１２を差込み固定する。尚、支え竹４の先端は竿竹２の内周面と当接し節１５とも当接し目釘竹１２にも当接するので、支え竹４の荷重は３箇所で分担させる構造である。
【００２０】図１０は図のγ部分の拡大図である。竿竹２の中間部に足乗せ竹３を固定した図である。竿竹２に第三の孔７を設けた足乗せ竹３を挿入し、竿竹２と足乗せ竹３を径方向に貫通する第二の孔６に目釘竹１３を差込み固定する。さらに竿竹２を径方向に貫通する第六の孔１０と足乗せ竹３の節１６を貫通する第七の孔１１に目釘竹１４を差込み固定する。目釘竹１３の長さは７０ｍｍ程度、直径はφ９ｍｍとする。
【００２１】図１１は図δ部分の拡大図である。竿竹２の最下部の節１５の上部近傍に支え竹４を留める第一の孔５に目釘竹１２を差込み竿竹２に支え竹４を固定する。目釘竹１２の長さは４０ｍｍ程度、直径はφ９ｍｍとする。
【産業上の利用可能性】
【００２２】本考案は竹馬及び竹馬を利用した遊具に関するものである。
【符号の説明】
【００２３】  １  竹馬本体
２  竿竹
３  足乗せ竹
４  支え竹
５  第一の孔
６  第二の孔
７  第三の孔
８  第四の孔
９  第五の孔
１０  第六の孔
１１  第七の孔
１２  目釘竹
１３  目釘竹
１４  目釘竹
１５  竿竹最下部の節
１６  足乗せ竹前方の節
１６ａ足乗せ竹後方の節
Ａ  足乗せ竹の上から竿竹の頂点までの高さ
Ｂ  足乗せ竹の直径
Ｃ  竿竹の底点から足乗せ竹までの高さ
Ｄ  竿竹の直径
Ｅ  足乗せ竹の長さ
Ｆ  支え竹の直径
【図１】
0003196832.tif 000003
【図２】
0003196832.tif 000004
【図３】
0003196832.tif 000005
【図４】
0003196832.tif 000006
【図５】
0003196832.tif 000007
【図６】
0003196832.tif 000008
【図７】
0003196832.tif 000009
【図８】
0003196832.tif 000010
【図９】
0003196832.tif 000011
【図１０】
0003196832.tif 000012
【図１１】
0003196832.tif 000013